(57)【要約】    【課題】輝度ムラ及び／又は色ムラ補正量を少ないデータ量で、かつ、高精度な輝度ムラ及び／又は色ムラ補正を可能とする。    【解決手段】画像表示装置の表示画面に生じる輝度ムラ及び／又は色ムラ補正を行う際に用いられる表示画面補正パラメータの設定が可能な表示画面補正パラメータ設定方法であって、前記表示画面を分割して設定された複数の多角形要素の各節点における輝度ムラ補正量Ｄ５を設定するステップ（ステップＳ３）と、前記表示画面全体に拡がる輝度ムラ補正量Ｄ４に基づいて前記多角形要素の各節点における輝度ムラ補正量変化率Ｄ６を設定するステップ（ステップＳ４）とを有する。なお、色ムラ補正についても同様に実施することができる。【選択図】  図２
2007081611.tif 000002
【特許請求の範囲】
【請求項１】
画像表示装置の表示画面に生じる輝度ムラ及び／又は色ムラ補正を行う際に用いられる表示画面補正パラメータの設定が可能な表示画面補正パラメータ設定方法であって、
前記表示画面を分割して設定された複数の多角形要素の各節点における輝度ムラ及び／又は色ムラ補正量を設定するステップと、
前記表示画面全体に拡がる輝度ムラ及び／又は色ムラ補正量に基づいて前記多角形要素の各節点における輝度ムラ及び／又は色ムラ補正量変化率を設定するステップと、
を有することを特徴とする表示画面補正パラメータ設定方法。
【請求項２】
請求項１に記載の表示画面補正パラメータ設定方法において、
前記輝度ムラ及び／又は色ムラ補正量変化率は、前記多角形要素の各節点を包含する領域を設定し、前記表示画面全体に拡がる輝度ムラ及び／又は色ムラ補正量のうちの前記多角形要素の各節点を包含する領域内の輝度ムラ及び／又は色ムラ補正量に基づいて輝度ムラ及び／又は色ムラ補正量近似関数を算出し、算出された輝度ムラ及び／又は色ムラ補正量近似関数を用いて設定されることを特徴とする表示画面補正パラメータ設定方法。
【請求項３】
請求項２に記載の表示画面補正パラメータ設定方法において、
前記輝度ムラ及び／又は色ムラ補正量近似関数は、前記表示画面全体に拡がる輝度ムラ及び／又は色ムラ補正量のうちの前記多角形要素の各節点を包含する領域内の輝度ムラ及び／又は色ムラ補正量を用いて線形補間して得られることを特徴とする表示画面補正パラメータ設定方法。
【請求項４】
請求項２に記載の表示画面補正パラメータ設定方法において、
前記輝度ムラ及び／又は色ムラ補正量近似関数は、前記表示画面全体に拡がる輝度ムラ及び／又は色ムラ補正量のうちの前記多角形要素の各節点を包含する領域内の輝度ムラ及び／又は色ムラ補正量を用いて多項式補間して得られることを特徴とする表示画面補正パラメータ設定方法。
【請求項５】
請求項３または４に記載の表示画面補正パラメータ設定方法において、
前記多角形要素の各節点を包含する領域内の輝度ムラ及び／又は色ムラ補正量として、前記表示画面全体に拡がる輝度ムラ及び／又は色ムラ補正量のうちの当該領域内の輝度ムラ及び／又は色ムラ補正量の最大値と最小値または極大値と極小値を優先的に用いることを特徴とする表示画面補正パラメータ設定方法。
【請求項６】
請求項１〜５のいずれかに記載の表示画面補正パラメータ設定方法において、
前記多角形要素の各節点における輝度ムラ及び／又は色ムラ補正量は、前記表示画面全体に拡がる輝度ムラ及び／又は色ムラ補正量を用いて設定されることを特徴とする表示画面補正パラメータ設定方法。
【請求項７】
請求項１〜５のいずれかに記載の表示画面補正パラメータ設定方法において、
前記多角形要素の各節点における輝度ムラ及び／又は色ムラ補正量は、前記輝度ムラ及び／又は色ムラ補正量近似関数によって設定されることを特徴とする表示画面補正パラメータ設定方法。
【請求項８】
請求項１〜７のいずれかに記載の表示画面補正パラメータ設定方法において、
前記輝度ムラ及び／又は色ムラ補正量変化率は、前記表示画面の水平方向及び前記表示画面の垂直方向への輝度ムラ及び／又は色ムラ補正量変化率であることを特徴とする表示画面補正パラメータ設定方法。
【請求項９】
請求項８に記載の表示画面補正パラメータ設定方法において、
前記輝度ムラ及び／又は色ムラ補正量変化率として、前記表示画面の水平方向と前記表示画面の垂直方向とが成す角を等分する方向の変化率をさらに用いることを特徴とする表示画面補正パラメータ設定方法。
【請求項１０】
請求項１〜９のいずれかに記載の表示画面補正パラメータ設定方法において、
前記多角形要素は、矩形要素であることを特徴とする表示画面補正パラメータ設定方法。
【請求項１１】
画像表示装置の表示画面に生じる輝度ムラ及び／又は色ムラ補正を行う際に用いられる表示画面補正パラメータの設定が可能な表示画面補正パラメータ設定装置であって、
前記表示画面を分割して設定された複数の多角形要素の各節点における輝度ムラ及び／又は色ムラ補正量を設定する輝度ムラ及び／又は色ムラ補正量設定部と、
前記表示画面全体に拡がる輝度ムラ及び／又は色ムラ補正量に基づいて前記多角形要素の各節点における輝度ムラ及び／又は色ムラ補正量変化率を設定する輝度ムラ及び／又は色ムラ補正量変化率設定部と、
を有することを特徴とする表示画面補正パラメータ設定装置。
【請求項１２】
画像表示装置の表示画面に生じる輝度ムラ及び／又は色ムラ補正を行う際に用いられる表示画面補正パラメータの設定が可能な表示画面補正パラメータ設定装置に、前記表示画面補正パラメータの設定を実行させる表示画面補正パラメータ設定プログラムであって、
前記表示画面を分割して設定された複数の多角形要素の各節点における輝度ムラ及び／又は色ムラ補正量を設定するステップと、
前記表示画面全体に拡がる輝度ムラ及び／又は色ムラ補正量に基づいて前記多角形要素の各節点における輝度ムラ及び／又は色ムラ補正量変化率を設定するステップと、
を有することを特徴とする表示画面補正パラメータ設定プログラム。
【請求項１３】
画像表示装置の表示画面に生じる輝度ムラ及び／又は色ムラ補正が可能な表示画面補正方法であって、
前記請求項１〜１０のいずれかに記載の表示画面補正パラメータ設定方法によって得られた前記表示画面を分割して設定された複数の多角形要素の各節点における輝度ムラ及び／又は色ムラ補正量と前記表示画面を分割して設定された複数の多角形要素の各節点における輝度ムラ及び／又は色ムラ補正量変化率とを用いて、前記複数の多角形要素の各多角形要素内の各位置における輝度ムラ及び／又は色ムラ補正量を算出するステップと、
前記算出された輝度ムラ及び／又は色ムラ補正量により前記表示画面に表示する画像データに基づいた輝度ムラ及び／又は色ムラ補正を行うステップと、
を有することを特徴とする表示画面補正方法。
【請求項１４】
請求項１３に記載の表示画面補正方法において、
前記多角形要素内の各位置における輝度ムラ及び／又は色ムラ補正量を算出するステップは、
表示画面で表示可能な階調のうちの複数の特定の階調に対しては、当該多角形要素の各節点に設定される輝度ムラ及び／又は色ムラ補正量と前記輝度ムラ及び／又は色ムラ補正量の変化率とを用いて当該多角形要素内の各位置における輝度ムラ及び／又は色ムラ補正量を算出し、前記特定の階調以外の階調に対しては、前記特定の階調に対して算出された輝度ムラ及び／又は色ムラ補正量から補間によって当該特定の階調以外の階調の輝度ムラ及び／又は色ムラ補正量を算出することを特徴とする表示画面補正方法。
【請求項１５】
画像表示装置の表示画面に生じる輝度ムラ及び／又は色ムラ補正が可能な表示画面補正装置であって、
前記請求項１〜１０のいずれかに記載の表示画面補正パラメータ設定方法によって得られた前記表示画面を分割して設定された複数の多角形要素の各節点における輝度ムラ及び／又は色ムラ補正量と前記表示画面を分割して設定された複数の多角形要素の各節点における輝度ムラ及び／又は色ムラ補正量変化率とを用いて前記複数の多角形要素の各多角形要素内の各位置における輝度ムラ及び／又は色ムラ補正量を算出する輝度ムラ及び／又は色ムラ補正量算出部と、
前記算出された前記輝度ムラ及び／又は色ムラ補正量により前記表示画面に表示する画像データに基づいた輝度ムラ及び／又は色ムラ補正を行う表示画面補正処理部と、
を有することを特徴とする表示画面補正装置。
【請求項１６】
画像表示装置の表示画面に生じる輝度ムラ及び／又は色ムラ補正が可能な表示画面補正装置に、前記輝度ムラ及び／又は色ムラ補正を実行させるための表示画面補正プログラムであって、
前記請求項１〜１０のいずれかに記載の表示画面補正パラメータ設定方法によって得られた前記表示画面を分割して設定された複数の多角形要素の各節点における輝度ムラ及び／又は色ムラ補正量と前記表示画面を分割して設定された複数の多角形要素の各節点における輝度ムラ及び／又は色ムラ補正量変化率とを用いて前記複数の多角形要素の各多角形要素内の各位置における輝度ムラ及び／又は色ムラ補正量を算出するステップと、
前記算出された前記輝度ムラ及び／又は色ムラ補正量により前記表示画面に表示する画像データに基づいた輝度ムラ及び／又は色ムラ補正を行うステップと、
を有することを特徴とする表示画面補正プログラム。
【請求項１７】
画像データに応じて表示画面に生じる輝度ムラ及び／又は色ムラを補正することが可能な表示画面補正装置を有する画像表示装置であって、
前記表示画面補正装置として、前記請求項１５に記載の表示画面補正装置を用いることを特徴とする画像表示装置。
【発明の詳細な説明】
【技術分野】
【０００１】
本発明は、画像表示装置の表示画面に生じる輝度ムラ及び／又は色ムラを補正する際に用いられる表示画面補正パラメータの設定が可能な表示画面補正パラメータ設定方法、表示画面補正パラメータ設定装置及び表示画面補正パラメータ設定プログラム並びに前記表示画面補正パラメータ設定方法によって設定された表示画面補正パラメータを用いて表示画面補正を行う表示画面補正方法、表示画面補正装置及び表示画面補正プログラム並びに前記表示画面補正装置を搭載した画像表示装置に関する。
【背景技術】
【０００２】
近年、大画面テレビジョンやプロジェクタなど高性能な画像表示装置が普及しつつある。これらの画像表示装置はより高画質化が求められ、特に、表示画面に発生する輝度ムラ及び／又は色ムラは、画質に大きな影響を与える。このため、輝度ムラ及び／又は色ムラを適切に補正することが重要な課題の１つとなっている。
【０００３】
表示画面の輝度ムラ及び／又は色ムラを補正する技術は、従来から種々提案されている。たとえば、プロジェクタなどの画像表示装置においては、光源の特性を考慮した表示画面補正パラメータを導入し、この表示画面補正パラメータに従った動作を可能とする調光装置や表示画面補正処理回路を画像表示装置に実装する方法や、画像表示装置の画素ごとに輝度ムラ及び／又は色ムラ補正パラメータを導入し、画像表示装置によって表示する表示画像データと画像表示装置の画素ごとの輝度ムラ及び／又は色ムラ補正パラメータから輝度ムラ及び／又は色ムラを補正した補正済み画像データを生成する方法などがある。
【０００４】
しかしながら、輝度ムラ及び／又は色ムラ補正は、高画質を得ようとして、より高精度な補正を行おうとすると演算処理量が多くなるという問題がある。そこで、少ない演算処理量で高精度な輝度ムラ及び／又は色ムラ補正を行う方法として、表示画面を複数の小領域に分割して、個々の小領域ごとに輝度ムラ及び／又は色ムラ補正を行う際に用いられる表示画面補正パラメータを設定する技術が従来から一般に採用されている（たとえば、特許文献１〜４参照）。
【０００５】
特許文献１に開示された技術は、表示画面全体に対して階調ごとの表示画面補正パラメータを保持し、表示画面を分割して得られた小領域ごとに表示画面補正パラメータを設定して、その表示画面補正パラメータを適用するというものである。
また、特許文献２に開示された技術は、表示画面を三角形要素に分割し、分割された三角形要素の各頂点で表示画面補正パラメータを生成する。そして、三角形要素内部の表示画面補正パラメータを三角形要素の各頂点の表示画面補正パラメータから補間するというものである。
【０００６】
また、特許文献３に開示された技術は、表示画面を四角形要素で分割し、その四角形要素の各頂点で表示画面補正パラメータを生成するというものである。
また、特許文献４に開示された技術は、表示画面を分割して得られた分割領域ごとに表示画面補正パラメータを決定して適用するという点では特許文献１と共通した処理を行うが、特許文献４では、それをマルチプロジェクションシステムに応用したものである。
【０００７】
【特許文献１】特開２０００−２８４７７３号公報
【特許文献２】特開２０００−３１６１７０号公報
【特許文献３】特開２００１−１３４２５２号公報
【特許文献４】特開２００３−４６７５１号公報
【発明の開示】
【発明が解決しようとする課題】
【０００８】
上述した特許文献１〜４に開示された技術は、いずれも表示画面を分割して得られた小領域ごとに離散的な表示画面補正パラメータを設定するものであるが、設定された離散的な表示画面補正パラメータから線形補間などによって、各小領域内の画素の画像補正パラメータを求めるというような補正方法である。
【０００９】
このため、各小領域内の各画素に対して高精度な画像補正パラメータを設定することは困難である。なお、特許文献１〜４に開示された技術においても、小領域の数を極めて多くすれば、各領域内の画素に対して高精度な表示画面補正パラメータを設定することは可能である。しかしながら、小領域の数を極めて多くすると、膨大なデータ量の輝度ムラ及び／又は色ムラ補正量テーブルを作成する必要があるとともに、少領域の数だけ各小領域における補間処理を行う必要がある。これらによって演算処理量が多くなるといった問題が生じる。
【００１０】
そこで本発明は、輝度ムラ及び／又は色ムラ補正を行う際に用いられる表示画面補正パラメータを少ないデータ量とし、かつ、表示画面の各画素に対して高精度な輝度ムラ及び／又は色ムラ補正を可能とする表示画面補正パラメータ設定方法、表示画面補正パラメータ設定装置及び表示画面補正パラメータ設定プログラム並びに前記表示画面補正パラメータ設定方法によって設定された表示画面補正パラメータを用いて高精度な表示画面補正を可能とする表示画面補正方法、表示画面補正装置及び表示画面補正プログラム並びに前記表示画面補正装置を搭載することによって高画質な画像表示が可能となる画像表示装置を提供することを目的としている。
【課題を解決するための手段】
【００１１】
（１）本発明の表示画面補正パラメータ設定方法は、画像表示装置の表示画面に生じる輝度ムラ及び／又は色ムラ補正を行う際に用いられる表示画面補正パラメータの設定が可能な表示画面補正パラメータ設定方法であって、前記表示画面を分割して設定された複数の多角形要素の各節点における輝度ムラ及び／又は色ムラ補正量を設定するステップと、前記表示画面全体に拡がる輝度ムラ及び／又は色ムラ補正量に基づいて前記多角形要素の各節点における輝度ムラ及び／又は色ムラ補正量変化率を設定するステップとを有することを特徴とする。
【００１２】
本発明の表示画面補正パラメータ設定方法によれば、表示画面補正パラメータとしての輝度ムラ及び／又は色ムラ補正量と、輝度ムラ及び／又は色ムラ補正量変化率とを、表示画面を分割して設定された複数の多角形要素の各節点に設定するようにしているので、保持すべき表示画面補正パラメータのデータ量を少なくすることができる。また、各多角形要素の各節点における輝度ムラ及び／又は色ムラ補正量と各多角形の各節点における輝度ムラ及び／又は色ムラ補正量変化率とを用いることにより、多角形要素内の任意の位置における輝度ムラ及び／又は色ムラ補正量を高精度に求めることができる。
【００１３】
（２）前記（１）に記載の表示画面補正パラメータ設定方法においては、前記輝度ムラ及び／又は色ムラ補正量変化率は、前記多角形要素の各節点を包含する領域を設定し、前記表示画面全体に拡がる輝度ムラ及び／又は色ムラ補正量のうちの前記多角形要素の各節点を包含する領域内の輝度ムラ及び／又は色ムラ補正量に基づいて輝度ムラ及び／又は色ムラ補正量近似関数を算出し、算出された輝度ムラ及び／又は色ムラ補正量近似関数を用いて設定されることが好ましい。
これにより、多角形要素の各節点における輝度ムラ及び／又は色ムラ補正量変化率を高精度にかつ容易に設定することができる。
【００１４】
（３）前記（２）に記載の表示画面補正パラメータ設定方法においては、前記輝度ムラ及び／又は色ムラ補正量近似関数は、前記表示画面全体に拡がる輝度ムラ及び／又は色ムラ補正量のうちの前記多角形要素の各節点を包含する領域内の輝度ムラ及び／又は色ムラ補正量を用いて線形補間して得られることが好ましい。
これは、前記多角形要素の各節点を包含する領域内における輝度ムラ及び／又は色ムラ補正量を線形補間して輝度ムラ及び／又は色ムラ補正量近似関数を求めるものである。これによれば、少ない演算量で容易に輝度ムラ及び／又は色ムラ補正量近似関数を算出することができる。
【００１５】
（４）前記（２）に記載の表示画面補正パラメータ設定方法においては、前記輝度ムラ及び／又は色ムラ補正量近似関数は、前記表示画面全体に拡がる輝度ムラ及び／又は色ムラ補正量のうちの前記多角形要素の各節点を包含する領域内の輝度ムラ及び／又は色ムラ補正量を用いて多項式補間して得られることが好ましい。
これによれば、多角形要素の各節点における輝度ムラ及び／又は色ムラ補正量の変化をより適切に反映した輝度ムラ及び／又は色ムラ補正量近似関数を算出することができる。
【００１６】
（５）前記（３）または（４）に記載の表示画面補正パラメータ設定方法においては、前記多角形要素の各節点を包含する領域内の輝度ムラ及び／又は色ムラ補正量として、前記表示画面全体に拡がる輝度ムラ及び／又は色ムラ補正量のうちの当該領域内の輝度ムラ及び／又は色ムラ補正量の最大値と最小値または極大値と極小値を優先的に用いることが好ましい。
【００１７】
これは、前記多角形要素の各節点を包含する領域内の輝度ムラ及び／又は色ムラ補正量として、当該領域内における輝度ムラ及び／又は色ムラ補正量の最大値と最小値または極大値と極小値を優先的に用いて線形補間または多項式補間することによって輝度ムラ及び／又は色ムラ補正量近似関数を求めるものである。これによれば、多角形要素の各節点における輝度ムラ及び／又は色ムラ補正量の変化を適切に反映した輝度ムラ及び／又は色ムラ補正量近似関数を算出することができる。
【００１８】
（６）前記（１）〜（５）のいずれかに記載の表示画面補正パラメータ設定方法においては、前記多角形要素の各節点における輝度ムラ及び／又は色ムラ補正量は、前記表示画面全体に拡がる輝度ムラ及び／又は色ムラ補正量を用いて設定されることが好ましい。
これは、表示画面に拡がる輝度ムラ及び／又は色ムラ補正量のうち、多角形要素の各節点に対応する位置の輝度ムラ及び／又は色ムラ補正量を、当該節点における輝度ムラ及び／又は色ムラ補正量として設定するものであり、これによれば、容易に各節点の輝度ムラ及び／又は色ムラ補正量を設定することができる。
【００１９】
（７）前記（１）〜（５）のいずれかに記載の表示画面補正パラメータ設定方法においては、前記多角形要素の各節点における輝度ムラ及び／又は色ムラ補正量は、前記輝度ムラ及び／又は色ムラ補正量近似関数によって設定されることもまた好ましい。
これは、前記輝度ムラ及び／又は色ムラ補正量近似関数を用いて多角形要素の各節点に対応する位置の輝度ムラ及び／又は色ムラ補正量を設定するものであり、これによっても各節点の輝度ムラ及び／又は色ムラ補正量を設定することができる。
【００２０】
（８）前記（１）〜（７）のいずれかに記載の表示画面補正パラメータ設定方法においては、前記輝度ムラ及び／又は色ムラ補正量変化率は、表示画面の水平方向及び表示画面の垂直方向への輝度ムラ及び／又は色ムラ補正量変化率であることが好ましい。
このように、表示画面の水平方向及び表示画面の垂直方向への輝度ムラ及び／又は色ムラ補正量変化率を用いることにより、多角形要素内の任意の位置における輝度ムラ及び／又は色ムラ補正量を高精度に求めることができる。
【００２１】
（９）前記（８）に記載の表示画面補正パラメータ設定方法においては、前記輝度ムラ及び／又は色ムラ補正量変化率として、表示画面の水平方向と表示画面の垂直方向とが成す角を等分する方向への変化率をさらに用いることが好ましい。
このように、表示画面の水平方向及び表示画面の垂直方向への輝度ムラ及び／又は色ムラ補正量変化率に加えて、表示画面の水平方向と表示画面の垂直方向とが成す角を等分する方向の変化率を用いることにより、多角形要素内の任意の位置における輝度ムラ及び／又は色ムラ補正量をより高精度に求めることができる。
【００２２】
（１０）前記（１）〜（９）のいずれかに記載の表示画面補正パラメータ設定方法においては、前記多角形要素は、矩形要素であることが好ましい。
このように、多角形要素を矩形要素とすることにより、多角形要素内の輝度ムラ及び／又は色ムラ補正量を求める処理など各種演算処理を簡単なものとすることができる。
【００２３】
（１１）本発明の表示画面補正パラメータ設定装置は、画像表示装置の表示画面に生じる輝度ムラ及び／又は色ムラ補正を行う際に用いられる表示画面補正パラメータの設定が可能な表示画面補正パラメータ設定装置であって、前記表示画面を分割して設定された複数の多角形要素の各節点における輝度ムラ及び／又は色ムラ補正量を設定する輝度ムラ及び／又は色ムラ補正量設定部と、前記表示画面全体に拡がる輝度ムラ及び／又は色ムラ補正量に基づいて前記多角形要素の各節点における輝度ムラ及び／又は色ムラ補正量変化率を設定する輝度ムラ及び／又は色ムラ補正量変化率設定部とを有することを特徴とする
【００２４】
本発明の表示画面補正パラメータ設定装置によれば、前記（１）に記載の表示画面補正パラメータ設定方法と同様の効果が得られる。なお、（１１）に記載の表示画面補正パラメータ設定装置においても前記（２）〜（１０）の表示画面補正パラメータ設定方法と同様の特徴を有することが好ましい。
【００２５】
（１２）本発明の表示画面補正パラメータ設定プログラムは、画像表示装置の表示画面に生じる輝度ムラ及び／又は色ムラ補正を行う際に用いられる表示画面補正パラメータの設定が可能な表示画面補正パラメータ設定装置に、前記表示画面補正パラメータの設定を実行させる表示画面補正パラメータ設定プログラムであって、前記表示画面を分割して設定された複数の多角形要素の各節点における輝度ムラ及び／又は色ムラ補正量を設定するステップと、前記表示画面全体に拡がる輝度ムラ及び／又は色ムラ補正量に基づいて前記多角形要素の各節点における輝度ムラ及び／又は色ムラ補正量変化率を設定するステップとを有することを特徴とする。
【００２６】
このような表示画面補正パラメータ設定プログラムを表示画面補正パラメータ設定装置で実行させることにより、前記輝度ムラ及び／又は色ムラ補正量の設定と、輝度ムラ及び／又は色ムラ補正量変化率の設定を行うことができる。なお、（１２）に記載の表示画面補正パラメータ設定プログラムにおいても前記（２）〜（１０）の表示画面補正パラメータ設定方法と同様の特徴を有することが好ましい。
【００２７】
（１３）本発明の表示画面補正方法は、画像表示装置の表示画面に生じる輝度ムラ及び／又は色ムラ補正が可能な表示画面補正方法であって、前記（１）〜（１０）のいずれかに記載の表示画面補正パラメータ設定方法によって得られた前記表示画面を分割して設定された複数の多角形要素の各節点における輝度ムラ及び／又は色ムラ補正量と前記表示画面を分割して設定された複数の多角形要素の各節点における輝度ムラ及び／又は色ムラ補正量変化率とを用いて、前記複数の多角形要素の各多角形要素内の各位置における輝度ムラ及び／又は色ムラ補正量を算出するステップと、前記算出された輝度ムラ及び／又は色ムラ補正量により前記表示画面に表示する画像データに基づいた輝度ムラ及び／又は色ムラ補正を行うステップとを有することを特徴とする。
【００２８】
本発明の表示画面補正方法は、前記（１）〜（１０）のいずれかに記載の表示画面補正パラメータ設定方法によって設定された多角形要素の各節点に設定される輝度ムラ及び／又は色ムラ補正量と、各多角形の各節点における輝度ムラ及び／又は色ムラ補正量変化率とを用いて表示画面に表示する画像データに基づいて表示画面補正を行うものである。すなわち、このような輝度ムラ及び／又は色ムラ補正量と、各多角形の各節点における輝度ムラ及び／又は色ムラ補正量変化率とを用いて、多角形要素内の任意の位置における輝度ムラ及び／又は色ムラ補正量を求め、求められた多角形要素内の任意の位置における輝度ムラ及び／又は色ムラ補正量によって、表示すべき画像データに基づいて表示画面補正を行う。これによって、表示画面の輝度ムラ及び／又は色ムラによる影響を受けることなく画像データが表示され、高品質な画像を表示することができる。
【００２９】
（１４）前記（１３）に記載の表示画面補正方法においては、前記多角形要素内の各位置における輝度ムラ及び／又は色ムラ補正量を算出するステップは、表示画面で表示可能な階調のうちの複数の特定の階調に対しては、当該多角形要素の各節点に設定される輝度ムラ及び／又は色ムラ補正量と前記輝度ムラ及び／又は色ムラ補正量の変化率とを用いて当該多角形要素内の各位置における輝度ムラ及び／又は色ムラ補正量を算出し、前記特定の階調以外の階調に対しては、前記特定の階調に対して算出された輝度ムラ及び／又は色ムラ補正量から補間によって当該特定の階調以外の階調の輝度ムラ及び／又は色ムラ補正量を算出することが好ましい。
これによれば、表示可能な各階調における輝度ムラ及び／又は色ムラ補正を適切に行うことができる。
【００３０】
（１５）本発明の表示画面補正装置は、画像表示装置の表示画面に生じる輝度ムラ及び／又は色ムラ補正が可能な表示画面補正装置であって、前記（１）〜（１０）のいずれかに記載の表示画面補正パラメータ設定方法によって得られた前記表示画面を分割して設定された複数の多角形要素の各節点における輝度ムラ及び／又は色ムラ補正量と前記表示画面を分割して設定された複数の多角形要素の各節点における輝度ムラ及び／又は色ムラ補正量変化率とを用いて前記複数の多角形要素の各多角形要素内の各位置における輝度ムラ及び／又は色ムラ補正量を算出する輝度ムラ及び／又は色ムラ補正量算出部と、前記算出された前記輝度ムラ及び／又は色ムラ補正量により前記表示画面に表示する画像データに基づいた輝度ムラ及び／又は色ムラ補正を行う表示画面補正処理部とを有することを特徴とする。
【００３１】
本発明の表示画面補正装置によれば、前記（１３）に記載の表示画面補正方法と同様の効果を得ることができる。なお、（１５）に記載の表示画面補正装置においても前記（１４）の表示画面補正方法と同様の特徴を有することが好ましい。
【００３２】
（１６）本発明の表示画面補正プログラムは、画像表示装置の表示画面に生じる輝度ムラ及び／又は色ムラ補正が可能な表示画面補正装置に、前記輝度ムラ及び／又は色ムラ補正を実行させるための表示画面補正プログラムであって、前記（１）〜（１０）のいずれかに記載の表示画面補正パラメータ設定方法によって得られた前記表示画面を分割して設定された複数の多角形要素の各節点における輝度ムラ及び／又は色ムラ補正量と前記表示画面を分割して設定された複数の多角形要素の各節点における輝度ムラ及び／又は色ムラ補正量変化率とを用いて前記複数の多角形要素の各多角形要素内の各位置における輝度ムラ及び／又は色ムラ補正量を算出するステップと、前記算出された前記輝度ムラ及び／又は色ムラ補正量により前記表示画面に表示する画像データに基づいた輝度ムラ及び／又は色ムラ補正を行うステップとを有することを特徴とする。
【００３３】
このような表示画面補正プログラムを表示画面補正装置で実行させることにより、前記（１３）に記載の表示画面補正方法と同様の効果を得ることができる。なお、（１６）に記載の表示画面補正プログラムにおいても前記（１４）の表示画面補正方法と同様の特徴を有することが好ましい。
【００３４】
（１７）本発明の画像表示装置は、画像データに応じて表示画面に生じる輝度ムラ及び／又は色ムラを補正することが可能な表示画面補正装置を有する画像表示装置であって、前記表示画面補正装置として、前記請求項１５に記載の表示画面補正装置を用いることを特徴とする。
このように、表示画面補正装置として前記（１５）に記載の表示画面補正装置を有することにより、表示すべき画像データに基づいた輝度ムラ及び／又は色ムラ補正を高精度に行うことができ、高品質な画像を表示することができる。
【発明を実施するための最良の形態】
【００３５】
以下、本発明の実施の形態について説明する。なお、輝度ムラと色ムラはほぼ同様に扱うことができるので、以下の実施形態では、説明を簡単なものとするため輝度ムラのみを対象として説明を行う。
【００３６】
図１は本発明の実施形態に係る表示画面補正パラメータ設定装置及び画像表示装置の構成を示す図である。
【００３７】
図１に示すように、プロジェクタなどの画像表示装置１は、表示画面補正パラメータ（詳細は後述する）を記憶する表示画面補正パラメータ記憶部１０、スクリーン（図１では図示せず）などで構成される表示画面を複数の多角形要素に分割し、それによって設定された複数の多角形要素の各節点（多角形要素節点という）の節点番号とその節点番号に対応する節点の表示画面上での位置情報を含む多角形要素情報Ｄ１を生成する多角形要素設定部１１、表示画面補正パラメータ記憶部１０に記憶されている表示画面補正パラメータに基づいて表示すべき画像データＤ２基づく表示画面の輝度ムラ補正など各種の補正処理を行う表示画面補正装置１２、表示画面補正装置１２によって生成された補正済みの画像データをスクリーンなどに表示する画像表示部１３を有している。
【００３８】
なお、表示画面補正装置１２は、輝度ムラ補正量算出部１２１と表示画面補正処理部１２２とを有している。これら輝度ムラ補正量算出部１２１が行う輝度ムラ補正量算出処理や表示画面補正処理部１２２が行う表示画面補正処理などについては後述する。
【００３９】
また、表示画面補正パラメータ設定装置２は、画像表示装置１の画像表示部１３によって表示された表示画面を撮像する撮像装置２１、撮像装置２１から出力された撮像画像データから表示画面に生じている輝度ムラ分布状態を取得して表示画面全体の輝度ムラ分布Ｄ３として出力する輝度ムラ分布取得部２２、輝度ムラ分布取得部２２により出力された輝度ムラ分布Ｄ３と理想とする輝度ムラ分布とから表示画面全体に拡がる輝度ムラ補正量Ｄ４（表示画面全体の輝度ムラ補正量Ｄ４という）を算出する表示画面全体の輝度ムラ補正量算出部２３、表示画面全体の輝度ムラ補正量Ｄ４と多角形要素情報Ｄ１とに基づいて多角形要素節点の輝度ムラ補正量Ｄ５を設定する輝度ムラ補正量設定部２４、多角形要素節点を包含する領域（節点包含領域という）を設定し、その節点包含領域内の輝度ムラ補正量を近似するための輝度ムラ補正量近似関数を算出して、この輝度ムラ補正量近似関数と表示画面全体の輝度ムラ補正量Ｄ４と多角形要素情報（節点番号及び節点位置）Ｄ１とに基づいて多角形要素節点の輝度ムラ補正量変化率Ｄ６を設定する輝度ムラ補正量変化率設定部２５を有している。
【００４０】
これら表示画面補正パラメータ設定装置２で設定された多角形要素節点の輝度ムラ補正量Ｄ５及び多角形要素節点の輝度ムラ補正量変化率Ｄ６などの表示画面補正パラメータは、多角形要素設定部１１で作成された多角形要素情報Ｄ１とともに画像表示装置１に設けられている表示画面補正パラメータ記憶部１０に記憶される。
【００４１】
図２は図１で示した多角形要素節点の輝度ムラ補正量Ｄ５及び多角形要素節点の輝度ムラ補正量変化率Ｄ６の設定処理手順を説明するフローチャートである。図２において、まず、表示画面の撮像画像データから表示画面全体の輝度ムラ分布Ｄ３を取得し（ステップＳ１）、該輝度ムラ分布Ｄ３と理想とする輝度ムラ分布とから表示画面全体の輝度ムラ補正量Ｄ４を算出する(ステップＳ２)。
【００４２】
そして、表示画面全体の輝度ムラ補正量Ｄ４と多角形要素情報Ｄ１とに基づいて多角形要素節点の輝度ムラ補正量Ｄ５を設定するとともに、輝度ムラ補正量近似関数と表示画面全体の輝度ムラ補正量Ｄ４と多角形要素情報Ｄ１とに基づいて多角形要素節点の輝度ムラ補正量変化率Ｄ６を設定する（ステップＳ３，Ｓ４）。
【００４３】
なお、本発明においては、図２におけるステップＳ１，Ｓ２の処理、すなわち、表示画面に生じている輝度ムラ分布Ｄ３を取得して、表示画面全体の輝度ムラ補正量Ｄ４を算出する処理は、特に限定されるものではなく、何らかの手法で算出された表示画面全体の輝度ムラ補正量Ｄ４が与えられるものであるとする。
【００４４】
図３は図１で示した多角形要素情報Ｄ１の設定手順を示すフローチャートである。多角形要素情報Ｄ１の設定手順は、図３に示すように、画像表示装置１に関する情報（画像表示装置情報という）を取得し（ステップＳ１１）、取得した画像表示装置情報に対応する多角形要素情報Ｄ１として多角形要素節点の節点番号とその節点番号に対応する節点位置とを算出する（ステップＳ１２）。そして、算出した多角形要素情報Ｄ１を保持する（ステップＳ１３）。
【００４５】
なお、画像表示装置情報というのは、画像表示装置１における解像度、輝度ムラ補正量設定間隔、輝度ムラ補正量設定数、輝度ムラ補正階調数及び輝度ムラ補正階調値などの画像表示装置の設計値である。このような画像表示装置情報から当該画像表示装置に対応した輝度ムラ補正量を設定すべき多角形要素節点を決める。
【００４６】
図４は図３におけるステップＳ１２の処理、すなわち、画像表示装置情報に対応する多角形要素情報Ｄ１の算出手順を示すフローチャートである。また、図５は図４の多角形要素情報Ｄ１の算出手順を具体的に説明する図である。
【００４７】
図４及び図５において、図５（ａ）に示すような画像表示装置１の表示画面解像度（表示画面の水平方向解像度Ｗ、表示画面の垂直方向解像度Ｈ）を取得し（ステップＳ１２１）、画像表示装置１の輝度ムラ補正量設定間隔（ΔＷ，ΔＨ）を取得する（ステップＳ１２２）。これによって、図５（ｂ）に示すように、画像表示装置１の表示画像を多角形要素に分割することができる。なお、本発明の実施形態では、多角形要素は矩形要素であるとする。
【００４８】
そして、各多角形要素について個々の多角形要素節点の節点位置を算出する（ステップＳ１２３）。この多角形要素節点の節点位置は、次式によって算出することができる。ここで、表示画面の水平方向軸をｘ座標軸、表示画面の垂直方向軸をｙ座標軸とする。
（Ｘｉ，Ｙｉ）＝（ｍ・ΔＷ，ｎ・ΔＨ）                  （１）
【００４９】
（１）式において、ｉ＝節点番号、０≦ｍ＜ＮＷ、０≦ｎ＜ＮＨである。また、ＮＷ＝１＋（Ｗ／ΔＷ）であり、これは水平方向（ｘ軸方向）の節点数を表す。また、ＮＨ＝１＋（Ｈ／ΔＨ）であり、これは垂直方向（ｙ軸方向）の節点数を表す。
【００５０】
同様に、各多角形要素について個々の多角形要素節点の節点番号を設定する（ステップＳ１２４）。この節点番号は次のように表す。ここで、節点番号を表示画面左上隅から表示画面右下隅まで水平方向を優先しながら０，１，・・・，２９で表し、個々の多角形要素をＥＡ，ＥＢ，ＥＣ，・・・で表すものとする。図５（ｂ）において、楕円で囲まれた多角形要素をＥＯとすれば、この多角形要素ＥＯに対する節点番号は、たとえば、図５（ｃ）に示すように、１７，１８，２３，２２というように設定され、それをＥＯ＝（１７，１８，２３，２２）というように表すものとする。
なお、図４に示すフローチャートにおいては、節点位置を設定した後、節点番号の設定を行うような手順となっているが、節点番号を設定した後、節点位置の設定を行うような手順であってもよい。
【００５１】
図６は多角形要素情報Ｄ１の一例を示す図である。図６（ａ）は多角形要素の節点番号に対する節点位置を表示画面の水平方向をｘ座標軸、表示画面の垂直方向をｙ座標軸とするｘ，ｙ座標上の位置として示す図である。また、図６（ｂ）は多角形要素ＥＡ，ＥＢ，ＥＣ，・・・に設定された節点番号の一例を示す図である。
【００５２】
図６（ａ）において、たとえば、節点番号「０」の節点位置は、ｘ，ｙ座標（０，０）であり、節点番号「１」の節点位置は、ｘ，ｙ座標（ΔＷ，０）であることを示している。また、図６（ｂ）において、多角形要素ＥＡには、節点番号０，１，６，５が設定され、多角形要素ＥＢには、節点番号「１，２，７，６」が設定されていることを示している。
【００５３】
図７は輝度ムラ分布取得部２２の輝度ムラ分布取得動作を説明するフローチャートである。図７において、まず、輝度ムラ取得用表示画像を画像表示装置１によって表示する（ステップＳ２１）。そして、輝度ムラ取得用表示画像を表示している表示画面を撮像装置２１で撮像し、その撮像画像データを取得し（ステップＳ２２）、取得した撮像画像データを処理し、表示画面全体の輝度ムラ分布Ｄ３を取得する（ステップＳ２３）。
【００５４】
図８は図７の処理手順を具体的に示す図である。図８に示すように、スクリーンＳＣＲ上には画像表示装置１によって輝度ムラ取得用表示画像ＣＧが表示される。この輝度ムラ取得用表示画像ＣＧは、図示の如く、補正したい階調色が一様に与えられた画像が用いられる。
【００５５】
そして、スクリーンＳＣＲ上に輝度ムラ取得用表示画像ＣＧを表示している表示画面を撮像装置２１によって撮像し、その撮像データをノイズ除去（平滑化）、レンズ歪み除去、幾何補正、輝度計算などの処理を行ったのち、輝度ムラ分布として取得する。この輝度ムラ分布としては、たとえば、表示画面の水平方向軸をｘ座標軸、表示画面の垂直方向軸をｙ座標軸とするｘ，ｙ座標のある位置における輝度の大きさ（輝度Ｉで表す）として表される。
【００５６】
図９は表示画面全体の輝度ムラ補正量Ｄ４の算出ステップを概略的に示すフローチャートである。なお、前述したように、本発明では、何らかの手法で算出された表示画面全体の輝度ムラ補正量Ｄ４が与えられるものであるとしているが、概略的には、図９に示すように、表示画面全体の輝度ムラ分布Ｄ３を取得し（ステップＳ３１）、理想とする輝度分布を取得または理想とする輝度分布を仮定し（ステップＳ３２）、ステップＳ３１で取得された表示画面全体の輝度ムラ分布Ｄ３と理想とする輝度分布との差から表示画面全体の輝度ムラ補正量Ｄ４として設定する（ステップＳ３３）。また、理想とする輝度分布を仮定する手法などについても本発明では特に限定されるものではない。
【００５７】
図１０は表示画面全体の輝度ムラ補正量Ｄ４について説明する図である。図１０（ａ）の太い実線で示す曲線が表示画面の水平方向軸をｘ座標軸、表示画面の垂直方向軸をｙ座標軸とするｘ，ｙ座標上における理想とする輝度分布を示し、黒丸が表示画面全体から実際に取得された輝度ムラ分布を示している。これにより、図１０（ｂ）に示すような表示画面全体の輝度ムラが得られる。この表示画面全体の輝度ムラを打ち消すように図１０（ｃ）のような表示画面全体の輝度ムラ補正量Ｄ４を設定する。
【００５８】
図１１は図１０に示す手順によって算出された表示画面全体の輝度ムラ補正量Ｄ４の一例を示す図である。図１１に示すように、表示画面全体の輝度ムラ補正量Ｄ４は、表示画面の水平方向軸をｘ座標軸、表示画面の垂直方向軸をｙ座標軸とするｘ，ｙ座標上のある位置として、たとえば、ｘ，ｙ座標（０，０）における輝度ムラ補正量ΔＩ＝＋５、ｘ，ｙ座標（１，０）における輝度ムラ補正量ΔＩ＝＋６というように設定される。なお、表示画面のｘ，ｙ座標上のある位置における輝度ムラ補正量や、ある節点番号に対する輝度ムラ補正量など、輝度ムラ補正量を個々の輝度ムラ補正量として表す場合には輝度ムラ補正量ΔＩとして表すものとする。
【００５９】
図１２は表示画面全体の輝度ムラ補正量Ｄ４と多角形要素情報Ｄ１とに基づいて多角形要素節点の輝度ムラ補正量Ｄ５の算出処理を説明するフローチャートである。図１２において、表示画面全体の輝度ムラ補正量Ｄ４を取得するとともに、多角形要素情報Ｄ１を取得する（ステップＳ４１，Ｓ４２）。そして、多角形要素節点の輝度ムラ補正量Ｄ５を節点番号に関連付けて設定する（ステップＳ４３）。
【００６０】
なお、多角形要素節点の輝度ムラ補正量Ｄ５は、表示画面全体に拡がる輝度ムラ補正量Ｄ４のうちの当該多角形要素節点の位置に対応する輝度ムラ補正量をそのまま用いて設定することも可能であるが、後述する輝度ムラ補正量近似関数によって設定することも可能である。
【００６１】
図１３は多角形要素節点に設定された輝度ムラ補正量の一例を節点番号に対応付けて示す図である。図１３に示すように、各多角形要素の節点番号に対する輝度ムラ補正量ΔＩとして、たとえば、図５（ｂ）における節点番号「０〜２９」を例に取れば、節点番号「０」に対しては輝度ムラ補正量ΔＩ＝＋５、節点番号「２９」に対しては輝度ムラ補正量ΔＩ＝＋４というように設定される。
【００６２】
図１４は輝度ムラ補正量変化率を設定する処理を説明するフローチャートである。図１４において、表示画面全体の輝度ムラ補正量Ｄ４を取得するとともに、多角形要素情報Ｄ１を取得する（ステップＳ５１，Ｓ５２）。そして、多角形要素節点を包含する領域（節点包含領域という）を設定する（ステップＳ５３）。たとえば、図１５に示すように、多角形要素節点ａに対しては節点包含領域Ａ、多角形要素節点ｂに対しては節点包含領域Ｂというように、各多角形要素節点ａ，ｂ，・・・に対して、その多角形要素節点を包含する節点包含領域Ａ，Ｂ，・・・を設定する。
なお、節点包含領域Ａ，Ｂ，・・・は、図１５の例では、四辺形としているが、四辺形に限られるものではなく、また、隣接する節点包含領域同士が重複してもよい。
【００６３】
次に、節点包含領域内の輝度ムラ補正量（これは表示画面全体の輝度ムラ補正量Ｄ４から得ることができる）により、節点包含領域内の輝度ムラ補正量近似関数を算出する（ステップＳ５４）。ステップＳ５４で算出された輝度ムラ補正量近似関数から多角形要素節点の輝度ムラ補正量変化率を算出し（ステップＳ５５）、算出された多角形要素節点上の輝度ムラ補正量変化率を節点番号に関連付けて設定する（ステップＳ５６）。
【００６４】
図１６は輝度ムラ補正量変化率を求めるための輝度ムラ補正量近似関数について説明する図である。図１６（ａ），（ｂ）は、表示画面全体の輝度ムラ補正量Ｄ４のうちの当該節点包含領域内の多角形要素節点を通る線上の輝度ムラ補正量Ｄ４を用いて線形補間する例である。
【００６５】
すなわち、図１６（ａ）は、表示画面全体の輝度ムラ補正量Ｄ４のうちの当該節点包含領域の境界に位置する輝度ムラ補正量を用いて線形補間により近似する例であり、たとえば、節点包含領域の一方の境界（辺または角）の輝度ムラ補正量（白丸で示す）と多角形要素節点を挟んで対向する当該節点包含領域の境界（辺または角）の輝度ムラ補正量（白丸で示す）とを直線で結んだものを輝度ムラ補正量近似関数とする。
【００６６】
一方、図１６（ｂ）は、当該節点包含領域内の輝度ムラ補正量Ｄ４のうち輝度ムラ補正量の最大値と最小値または極大値と極小値を優先的に用いて線形補間した関数を輝度ムラ補正量近似関数とするものである。具体例としては、たとえば、図１６（ｂ）に示すように、節点包含領域に含まれる輝度ムラ補正量Ｄ４のうちの輝度ムラ補正量の最大値としての凸部（白丸で示す）または最小値としての凹部（同じく白丸で示す）を線形補間した関数を輝度ムラ補正量近似関数とする。
【００６７】
また、図１６（ｃ）は、ある節点包含領域において表示画面全体の輝度ムラ補正量Ｄ４のうちの当該節点包含領域内の輝度ムラ補正量のうち輝度ムラ補正量の最大値と最小値または極大値と極小値を優先的に用いて多項式補間する例である。具体的には、図１６（ｃ）に示すように、図１６（ａ）で用いた節点包含領域の境界に位置する輝度ムラ補正量（白丸で示す）と図１６（ｂ）で用いた凹凸部の輝度ムラ補正量（白丸で示す）用いて多項式補間する。
【００６８】
なお、図１６（ａ）の場合は、この図１６（ａ）に示すように、求められた輝度ムラ補正量近似関数の勾配が、たとえば、多角形要素節点における実際の輝度ムラ補正量（表示画面全体の輝度ムラ補正量Ｄ４）の勾配と反対となる場合もあるが、多角形要素の設定の仕方などによっては、図１６（ａ）でも実用上問題のない輝度ムラ補正量近似関数を得ることは可能である。
【００６９】
図１６（ｂ）は図１６（ａ）に比べると、実際の輝度ムラ補正量（表示画面全体の輝度ムラ補正量Ｄ４）の勾配に近い勾配を有する輝度ムラ補正量近似関数を得ることができる。また、図１６（ｃ）は、実際の輝度ムラ補正量（表示画面全体の輝度ムラ補正量Ｄ４）の傾きに、より近い勾配を有する輝度ムラ補正量近似関数を得ることができる。
【００７０】
ここで、多角形要素節点上における表示画面の水平方向（ｘ軸方向）、表示画面の垂直方向（ｙ軸方向）及び表示画面の水平方向と表示画面の垂直方向とが成す角を等分する方向（ｘ軸またはｙ軸に対して４５度の方向）の輝度ムラ補正量変化率は、下記（２）〜（４）式のように表すことができる。なお、（２）〜（４）式において、ｘｎ，ｙｎはある多角形要素節点の節点位置を示す座標である。
【数１】
2007081611.tif 000003
【００７１】
なお、（２）式は多角形要素節点におけるｘ軸方向の輝度ムラ補正量変化率、（３）式は多角形要素節点におけるｙ軸方向の輝度ムラ補正量変化率、（４）式は多角形要素節点における斜め方向（ｘ軸またはｙ軸に対して４５度の方向）の輝度ムラ補正量変化率である。
【００７２】
図１７は節点番号「０」〜「２９」で示される各多角形要素節点に対して（２）〜（４）式を用いて求められたｘ軸方向、ｙ軸方向及び斜め方向の輝度ムラ補正量変化率の一例を示す図である。
【００７３】
図１８は表示画面補正装置１２（図１参照）が行う表示画面補正処理手順を示すフローチャートである。図１８に示すように、多角形要素情報Ｄ１を取得し（ステップＳ６１）、多角形要素節点の輝度ムラ補正量Ｄ５を取得するとともに多角形要素節点の輝度ムラ補正量変化率Ｄ６を取得する（ステップＳ６２，Ｓ６３）。また、表示する画像データを取得する（ステップＳ６４）。なお、多角形要素節点の輝度ムラ補正量Ｄ５及び多角形要素節点の輝度ムラ補正量変化率Ｄ６は、予め設定された複数の特定の階調について取得する。
【００７４】
そして、取得した多角形要素情報Ｄ１、多角形要素節点の輝度ムラ補正量Ｄ５、多角形要素節点の輝度ムラ補正量変化率Ｄ６から表示すべき画像データの各位置（当該多角形要素内の各位置）の輝度ムラ補正量を輝度ムラ補正量算出部１２１により算出する（ステップＳ６５）。このように算出された輝度ムラ補正量に基づいて表示したい画像データに基づいた輝度補正を適用した補正済み画像データを表示画面補正処理部１２２により生成し（ステップＳ６６）、補正済み画像データを画像表示部１３に出力する(ステップＳ６７)。
【００７５】
図１９はある多角形要素内のある階調における任意の位置の輝度ムラ補正量を算出する例を模式的に示す図である。図１９において、４つの多角形要素節点（ａ，ｂ，ｃ，ｄとする）で囲まれるある特定の階調Ｚ１の多角形要素内における表示画面の水平方向軸（ｘ座標軸）及び表示画面の垂直方向軸（ｙ座標軸）に基づく位置座標（ｘ，ｙ）での輝度ムラ補正量をΔＩ１とし、同じく４つの多角形要素節点（ａ，ｂ，ｃ，ｄとする）で囲まれるある特定の階調Ｚ２の多角形要素内における位置座標（ｘ，ｙ）での輝度ムラ補正量をΔＩ２としたとき、これら特定の階調Ｚ１と特定の階調Ｚ２との間のある階調（これを特定の階調以外の階調とし、それを階調Ｚ３で表す）における位置座標（ｘ、ｙ）での輝度ムラ補正量（ΔＩ３とする）は、特定の階調Ｚ１で求められた輝度ムラ補正量ΔＩ１、特定の階調Ｚ２で求められた輝度ムラ補正量ΔＩ２及び特定の階調Ｚ１，Ｚ２を用いて線形補間によって求める。
【００７６】
ここで、ある特定の階調のある多角形要素内の任意の位置の輝度ムラ補正量ΔＩは、下記（５）〜（８）式によって求めることができる。なお、（５），（６）式は表示画面の水平方向と表示画面の垂直方向とが成す角を等分する方向の輝度ムラ補正量変化率を考慮する場合、（７），（８）式は表示画面の水平方向と表示画面の垂直方向とが成す角を等分する方向の輝度ムラ補正量変化率を考慮しない場合である。
【００７７】
図２０は（５）〜（８）式を求める場合のある特定の階調における多角形要素を示す図である。図２０に示すような多角形要素節点ａ，ｂ，ｃ，ｄを有する多角形要素内における任意の位置の輝度ムラ補正量ΔＩは、斜め方向の輝度ムラ補正量変化率を考慮する場合、
【数２】
2007081611.tif 000004
によって求めることができる。この（５）式における係数Ｎｋ（ｋ＝０，１，・・・，１５）は、
【数３】
2007081611.tif 000005
と表すことができる。なお、（６）式において、係数Ａｉｊは、ｉ，ｊがｉ＝０，１，２，３、ｊ＝０，１，２，３のとき、ｋがｋ＝０，１，・・・，１５において図２１に示すような値をとる。
【００７８】
また、斜め方向の輝度ムラ補正量変化率を考慮しない場合の多角形要素内における任意の位置の輝度ムラ補正量ΔＩは、
【数４】
2007081611.tif 000006
によって求めることができる。この（７）式における係数Ｎｋは、
【数５】
2007081611.tif 000007
と表すことができる。なお、（８）式において、係数Ａｉｊは、ｉ，ｊがｉ＝０，１，２，３、＝０，１，２，３のとき、ｋがｋ＝０，１，・・・，１１において図２２に示すような値をとる。
【００７９】
以上説明したように、本発明の実施形態によれば、複数の多角形要素の各多角形要素節点に対して輝度ムラ補正量と輝度ムラ補正量変化率を設定し、これら各多角形要素節点に対して設定された輝度ムラ補正量と輝度ムラ補正量変化率とを用いて、（５）〜（８）式で示すような輝度ムラ補正量ΔＩを算出するための関数を作成する。そして、（５）〜（８）式で示す関数を用いることにより、多角形要素内の任意の位置における輝度ムラ補正量ΔＩを求めることができる。これによって得られた輝度ムラ補正量ΔＩを用いた輝度ムラ補正を行うことにより、従来の線形補間によって求められた輝度ムラ補正量を用いた輝度補正を行う場合に比べて、実際の輝度分布により近い輝度分布を得ることができる。
【００８０】
図２３は本発明の実施形態による輝度ムラ補正量分布と従来の線形補間による輝度ムラ補正量分布とを理想とする輝度ムラ補正量分布と比較して示す図である。
【００８１】
図２３において、（ａ）は理想とする輝度ムラ補正量分布を示す図であり、（ｂ）は従来の線形補間によって求められた輝度ムラ補正量分布を示す図である。また、（ｃ）は本発明の実施形態による表示画面の水平方向と表示画面の垂直方向とが成す角を等分する方向の輝度ムラ補正量変化率を考慮した輝度ムラ補正量近似関数(５)式、（６）式を用いて算出した輝度ムラ補正量分布を示す図、また、（ｄ）は本発明の実施形態による表示画面の水平方向と表示画面の垂直方向とが成す角を等分する方向の輝度ムラ補正量変化率を考慮しない輝度ムラ補正量近似関数(７)式、（８）式を用いて算出した輝度ムラ補正量分布図である。
【００８２】
図２３からも明らかなように、本発明の実施形態による輝度ムラ補正量分布図は、従来の線形補間による輝度ムラ補正量分布図に比べて、理想とする輝度ムラ補正量分布図により近い分布となっている。特に、表示画面の水平方向と表示画面の垂直方向とが成す角を等分する方向の輝度ムラ補正量変化率を考慮した輝度ムラ補正量近似関数による輝度ムラ補正量分布図は、より一層、良好である。
【００８３】
図２４は表示画面の水平方向と表示画面の垂直方向とが成す角を等分する方向を考慮した輝度ムラ補正量近似関数を用いた場合と表示画面の水平方向と表示画面の垂直方向とが成す角を等分する方向を考慮しない輝度ムラ補正量近似関数を用いた場合とを実際の輝度ムラ補正量分布と比較して示す図である。なお、図２４はある多角形領域において、表示画面の水平方向軸（ｘ座標軸）で３００ポイントの位置における表示画面の垂直方向（ｙ軸方向）に沿った輝度ムラ補正量分布の断面を示す図である。
【００８４】
図２４において、太い実線で示す曲線は理想とする輝度ムラ補正量分布（これを真値とする）を示し、細い実線で示す曲線は従来の線形補間によって求められた輝度ムラ補正量分布を示している。また、一点鎖線は本発明の実施形態における表示画面の水平方向と表示画面の垂直方向とが成す角を等分する方向を考慮した輝度ムラ補正量近似関数による輝度ムラ補正量分布を示し、また、破線は本発明の実施形態における表示画面の水平方向と表示画面の垂直方向とが成す角を等分する方向を考慮しない輝度ムラ補正量近似関数による輝度ムラ補正量分布を示している。
【００８５】
なお、図２４は表示画面の水平方向軸（ｘ座標軸）で３００ポイントの位置における表示画面の垂直方向（ｙ軸方向）に沿った０，５０，１００，１５０，２００，２５０，３００の各ポイントにおいて求められた輝度ムラ補正量を曲線で結んで得られた輝度ムラ補正量分布である。
【００８６】
図２４からも明らかなように、本発明の実施形態による輝度ムラ補正量分布は、従来の線形補間によって求められた輝度ムラ補正量分布と比べて、理想とする輝度ムラ補正量分布に近いことがわかる。特に、表示画面の水平方向と表示画面の垂直方向とが成す角を等分する方向を考慮した輝度ムラ補正量近似関数を用いた輝度ムラ補正量分布は理想とする輝度ムラ補正量分布により近いものとなる。
【００８７】
なお、本発明は前述の実施の形態に限られるものではなく、本発明の要旨を逸脱しない範囲で種々変形実施可能となるものである。たとえば、多角形要素は前述の実施形態においては、矩形要素である場合について説明したが、これに限られるものではなく、たとえば、三角形であってもよい。
【００８８】
また、前述の実施形態では、多角形要素設定部１１、表示画面補正パラメータ記憶部１０などは画像表示装置１が有するものとして説明したが、これらは表示画面補正パラメータ設定装置２が有するようにしてもよく、また、画像表示装置１に接続可能な別の情報処理機器などが有するような構成とすることも可能である。
【００８９】
また、前述の実施形態では、輝度ムラについて説明したが輝度ムラだけではなく色ムラについても同様に考えることができる。
また、前述の実施形態で説明した画像表示装置１は、プロジェクタに限られるものではなく、テレビジョンなどの直視型の画像表示装置であってもよい。
【００９０】
また、本発明は、以上説明した本発明を実現するための表示画面補正パラメータ設定手順が記述された表示画面補正パラメータ設定プログラム及び表示画面補正を行うための表示画面補正プログラムを作成し、これら表示画面補正パラメータ設定プログラム及び表示画面補正プログラムグラムを各種記録媒体に記録させておくこともでき、本発明は、それら表示画面補正パラメータ設定プログラム及び表示画面補正プログラムの記録された記録媒体をも含むものである。また、ネットワークから当該表示画面補正パラメータ設定プログラム及び表示画面補正プログラムを得るようにしてもよい。
【図面の簡単な説明】
【００９１】
【図１】本発明の実施形態に係る表示画面補正パラメータ設定装置及び画像表示装置の構成を示す図。
【図２】図１で示した多角形要素節点の輝度ムラ補正量Ｄ５及び多角形要素節点の輝度ムラ補正量変化率Ｄ６の設定処理手順を説明するフローチャート。
【図３】図１で示した多角形要素情報Ｄ１の取得手順を示すフローチャート。
【図４】図３におけるステップＳ１２の処理、すなわち、画像表示装置情報に対応する多角形要素情報Ｄ１の算出手順を示すフローチャート。
【図５】図４の多角形要素情報の算出手順を具体的に説明する図。
【図６】各多角形の多角形要素情報の一例を示す図。
【図７】輝度ムラ分布取得部２２の輝度ムラ分布取得動作を説明するフローチャート。
【図８】図７の処理手順を具体的に示す図。
【図９】表示画面全体の輝度ムラ補正量Ｄ４の算出ステップを概略的に示すフローチャート。
【図１０】表示画面全体の輝度ムラ補正量Ｄ４について説明する図。
【図１１】図１０に示す手順によって算出された表示画面全体の輝度ムラ補正量Ｄ４の一例を示す図。
【図１２】表示画面全体の輝度ムラ補正量Ｄ４と多角形要素情報Ｄ１とに基づいて多角形要素節点の輝度ムラ補正量Ｄ５の算出処理を説明するフローチャート。
【図１３】多角形要素節点に設定された輝度ムラ補正量の一例を節点番号に対応付けて示す図。
【図１４】輝度ムラ補正量変化率を設定する処理を説明するフローチャート。
【図１５】多角形要素多節点を包含する領域（節点包含領域）について説明する図。
【図１６】輝度ムラ補正量変化率を求めるための輝度ムラ補正量近似関数について説明する図。
【図１７】節点番号「０」〜「２９」で示される各多角形要素節点に対して（２）〜（４）式を用いて求められた表示画面の水平方向軸（ｘ軸方向）、表示画面の垂直方向（ｙ軸方向）及び表示画面の水平方向と表示画面の垂直方向とが成す角を等分する方向の輝度ムラ補正量変化率の一例を示す図。
【図１８】表示画面補正装置１２が行う表示画面補正処理手順を示すフローチャート。
【図１９】ある多角形要素内のある階調における任意の位置の輝度ムラ補正量を算出する例を模式的に示す図。
【図２０】（５）〜（８）式を求める場合のある任意の階調における多角形要素を示す図。
【図２１】（６）式における係数Ａｉｊの値を示す図。
【図２２】（８）式において係数Ａｉｊの値を示す図。
【図２３】本発明の実施形態による輝度ムラ補正量分布と従来の線形補間による輝度ムラ補正量分布とを理想とする輝度ムラ補正量分布と比較して示す図。
【図２４】表示画面の水平方向と表示画面の垂直方向とが成す角を等分する方向を考慮した輝度ムラ補正量近似関数を用いる場合と、表示画面の水平方向と表示画面の垂直方向とが成す角を等分する方向を考慮しない輝度ムラ補正量近似関数を用いる場合とによる輝度ムラ補正量分布を理想とする輝度ムラ補正量分布と比較して示す図。
【符号の説明】
【００９２】
１・・・画像表示装置、２・・・表示画面補正パラメータ設定装置、１０・・・表示画面補正パラメータ記憶部、１１・・・多角形要素設定部、１２・・・表示画面補正装置、２１・・・撮像装置、２２・・・輝度ムラ取得部、２３・・・表示画面全体の輝度ムラ補正量算出部、２４・・・輝度ムラ補正量設定部、２５・・・輝度ムラ補正量変化率設定部、１２１・・・輝度ムラ補正量算出部、１２２・・・表示画面補正処理部
【図１】
2007081611.tif 000008
【図２】
2007081611.tif 000009
【図３】
2007081611.tif 000010
【図４】
2007081611.tif 000011
【図５】
2007081611.tif 000012
【図６】
2007081611.tif 000013
【図７】
2007081611.tif 000014
【図９】
2007081611.tif 000015
【図１０】
2007081611.tif 000016
【図１１】
2007081611.tif 000017
【図１２】
2007081611.tif 000018
【図１３】
2007081611.tif 000019
【図１４】
2007081611.tif 000020
【図１５】
2007081611.tif 000021
【図１６】
2007081611.tif 000022
【図１７】
2007081611.tif 000023
【図１８】
2007081611.tif 000024
【図２１】
2007081611.tif 000025
【図２２】
2007081611.tif 000026
【図８】
2007081611.tif 000027
【図１９】
2007081611.tif 000028
【図２０】
2007081611.tif 000029
【図２３】
2007081611.tif 000030
【図２４】
2007081611.tif 000031